【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
撮像部と、
同一光軸上に平行に配置した複数のレンズと、
前記複数のレンズを回転支軸を介して連結し、少なくとも一方向に移動させることによってこの回転支軸を軸として前記複数のレンズを回転させる連結部と、
非使用時に前記連結部の移動に連動して前記撮像部と前記複数のレンズとを略水平姿勢で折り畳む折畳機構と
を備えることを特徴とする撮像装置。
【請求項２】
前記複数のレンズは、ズーム動作で移動するズームレンズ群と、ズーム動作で移動しない固定レンズ群とを含み、
前記連結部は、ズーム動作で連動して移動する前記ズームレンズ群のレンズ同士を連結する第１の連結部と、ズーム動作で移動しない前記固定レンズ群のレンズ同士を連結する第２の連結部と、
前記第１の連結手段を前後移動させて前記ズームレンズ群を光軸方向に前後移動させてズーム動作させるズーム駆動手段と
をさらに備えることを特徴とする請求項１記載の撮像装置。
【請求項３】
前記複数のレンズの途中に配設され、前記撮像素子への入射光量を調節する絞り手段と、
前記撮像部の前面に配設され、前記撮像部への露光時間を調節するシャッター手段とをさらに具備し、
前記折畳み機構は、前記非使用時の前記連結部の移動に連動させて、前記絞り手段、及び、前記シャッター手段の何れかを略水平姿勢で折り畳むようにしたことを特徴とする請求項１または２記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮像装置に関する。
【手続補正４】
【補正対象書類名】明細書
【補正対象項目名】０００７
【補正方法】変更
【補正の内容】
【０００７】
そこで本発明は、カード型や薄型のデジタルカメラでも、本体形状を小さくしつつ、レンズ口径を大きくすることができる撮像装置を提供することを目的とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
上記目的達成のため、請求項１記載の発明は、撮像部と、同一光軸上に平行に配置した複数のレンズと、前記複数のレンズを回転支軸を介して連結し、少なくとも一方向に移動させることによってこの回転支軸を軸として前記複数のレンズを回転させる連結部と、非使用時に前記連結部の移動に連動して前記撮像部と前記複数のレンズとを略水平姿勢で折り畳む折畳機構とを備えることを特徴とする。
【手続補正１４】
【補正対象書類名】明細書
【補正対象項目名】００１７
【補正方法】変更
【補正の内容】
【００１７】
また、請求項２記載の発明は、上記請求項１記載の発明に加え、前記複数のレンズは、ズーム動作で移動するズームレンズ群と、ズーム動作で移動しない固定レンズ群とを含み、
前記連結部は、ズーム動作で連動して移動する前記ズームレンズ群のレンズ同士を連結する第１の連結部と、ズーム動作で移動しない前記固定レンズ群のレンズ同士を連結する第２の連結部と、前記第１の連結手段を前後移動させて前記ズームレンズ群を光軸方向に前後移動させてズーム動作させるズーム駆動手段とをさらに備えることを特徴とする。
【手続補正１５】
【補正対象書類名】明細書
【補正対象項目名】００１８
【補正方法】変更
【補正の内容】
【００１８】
また、請求項３記載の発明は、上記請求項１または２記載の発明に加え、前記複数のレンズの途中に配設され、前記撮像素子への入射光量を調節する絞り手段と、前記撮像部の前面に配設され、前記撮像部への露光時間を調節するシャッター手段とをさらに具備し、  前記折畳み機構は、前記非使用時の前記連結部の移動に連動させて、前記絞り手段、及び、前記シャッター手段の何れかを略水平姿勢で折り畳むようにしたことを特徴とする。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】変更
【補正の内容】
【００３２】
本発明によれば、非使用時に、折畳機構により、複数のレンズを回転支軸を介して連結し、少なくとも一方向に移動させることによってこの回転支軸を軸として前記複数のレンズを回転させる連結部の移動に連動して、前記複数のレンズを略水平姿勢で折り畳むようにしたので、カード型や薄型のデジタルカメラでも、本体形状を小さくしつつ、焦点距離を大きくすることができ、レンズ口径を大きくすることができるという利点が得られる。
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】